(57)【要約】【課題】一般家屋の各部屋に設置する家屋照明装置が備えるナツメ球を、日出又は日没に合わせて自動的に消灯又は点灯するための自動点滅照明装置を開発することとし、その際、屋内で光センサを使用するためにこの光センサの導通又は遮断を切り替える閾値を低く設定しながら、ナツメ球の点灯による誤動作を防止することを課題とし、検討した。【解決手段】ナツメ球５を着脱自在に接続するランプ取付部９に、給電口と着脱自在に接続する口金部１３と、ランプ取付部９及び口金部１３の電気的接続を外界の照度に応じて抵抗値を変化させる光センサにより通電又は遮断する光センサスイッチ部１５とを設けてなり、この光センサスイッチ部１５はランプ取付部９に対して光センサの受光面１８の向きを変更自在にした自動点滅照明装置１である。【選択図】        図１
2005011607.tif 000002
【特許請求の範囲】
【請求項１】
ランプを着脱自在に接続するランプ取付部に、給電口と着脱自在に接続する口金部と、ランプ取付部及び口金部の電気的接続を外界の照度に応じて抵抗値を変化させる光センサにより通電又は遮断する光センサスイッチ部とを設けてなり、該光センサスイッチ部はランプ取付部に対して光センサの受光面の向きを変更自在にしてなる自動点滅照明装置。
【請求項２】
光センサスイッチ部は、給電口を備えた家屋照明装置の最下面から下方に突出した位置に光センサの受光面を覗かせてなる請求項１記載の自動点滅照明装置。
【請求項３】
ランプ取付部は、天井部及び底部を架設部で結び、前記天井部及び底部間から外界に向けて光が放射できるランプ取付空間を形成した柱状体であり、天井部上面から上方に向けて口金部を突設し、底部下面に光センサスイッチ部を突設し、天井部下面又は底部上面にランプソケットを設けてなる請求項１記載の自動点滅照明装置。
【請求項４】
ランプ取付部は、架設部を柱とし、該柱を除く柱状体の側面を開放することにより、天井部及び底部間から外界に向けて光が放射できるランプ取付空間を形成してなる請求項３記載の自動点滅照明装置。
【発明の詳細な説明】
【０００１】
【発明の属する技術分野】
本発明は、家屋照明装置（特に家屋に用いる照明装置、以下同じ）用の給電口又は家屋照明装置が備える給電口に接続し、外界の照度（特に陽光の照度）に応じて点灯又は消灯する自動点滅照明装置に関する。
【０００２】
【従来の技術】
一般家屋の各部屋に設置する家屋照明装置は、直管状又は円環状蛍光灯を１〜３基備え、補助的にナツメ球を有するものが多い。このナツメ球は、「常夜灯」とも呼ばれるように、主たる蛍光灯を消灯した場合でも点灯させておき、深夜部屋内で行動する際の最低限の明かりとしての用途に適している。しかし、このナツメ球の照度は低いため、日出と共に部屋が明るくなると点灯していることを忘れ、消灯せずにそのままにしてしまう問題があった。これから、外界の照度に応じてナツメ球の点灯（日没時）又は消灯（日出時）を切り替えるスイッチとして、光センサを用いることが考えられる。
【０００３】
上記光センサを用いた照明装置として、特許文献１が開示する自動点滅装置を取り付けた照明装置（街灯等）を挙げることができる。この特許文献１に開示する自動点滅装置はランプ等を含まず、あくまで別体の照明装置のスイッチを提供するのみであり、ナツメ球の点灯又は消灯を切り替えるスイッチとして光センサを備えた家屋照明装置にそのまま適用することはできない。そこで、特許文献２に見られる家屋照明装置に用いている人体センサを、前記特許文献１の光センサに置き換えて、ナツメ球の点灯又は消灯を切り替える装置を考えることができる。
【０００４】
【特許文献１】
特開平０８−３２９８０２号公報（２〜４頁、図１）
【特許文献２】
特開平１０−０４０７２８号公報（２頁、図１〜３）
【０００５】
【発明が解決しようとする課題】
ナツメ球を日出又は日没に合わせて自動的に消灯又は点灯させる自動点滅照明装置は、日出又は日没に際する部屋の照度を光センサが検知して、給電口からナツメ球に至る電気的接続を遮断又は導通させることになる。ここで、特許文献１のように光センサの検知場所が屋外であったり、特許文献２のように人体センサを用いる場合は各センサの配置に問題はない。しかし、前述のように、屋内である部屋の照度を検知する光センサの場合、部屋の中の照度が屋外に比べて元来低いため、光センサの閾値（導通又は遮断を切り替える照度）を低く設定しなければならず、日出又は日没を正しく検知してナツメ球の消灯又は点灯を切り替えるに適した光センサの感度調整が難しくなる問題がある。更に、部屋の照度は部屋に設けられる窓の向き及び大きさによって日出又は日没時の変化が異なるため、ナツメ球の自動点滅照明装置を設置する部屋毎に光センサの感度を適切に調整することは、非常に難しいことが分かる。
【０００６】
また、光センサの閾値を低く設定すると、今度はナツメ球自身の光によって光センサが誤動作しないようにする必要がある。例えば、特許文献２に見られるように、ランプと光センサとを並列に設置した場合、ランプをセードで囲っていても、なおランプからの光の影響を受けて、光センサが誤動作する懸念が拭いされない。これから、ナツメ球と光センサの受光面とは、できる限り離れた位置関係、例えばナツメ球の主たる発光方向と受光面とが逆向きの関係にあるか、ナツメ球と受光面との間に障害物等を配することが考えられるが、こうした受光面に対する配慮が特許文献１及び特許文献２にも見られない。
【０００７】
そこで、一般家屋の各部屋に設置する家屋照明装置が備えるナツメ球を、日出又は日没に合わせて自動的に消灯又は点灯するための自動点滅照明装置を開発することとし、その際、屋内で光センサを使用するためにこの光センサの導通又は遮断を切り替える閾値を低く設定しながら、ナツメ球の点灯による誤動作を防止することを課題とし、検討した。
【０００８】
【課題を解決するための手段】
検討の結果開発したものが、ランプを着脱自在に接続するランプ取付部に、給電口と着脱自在に接続する口金部と、ランプ取付部及び口金部の電気的接続を外界の照度に応じて抵抗値を変化させる光センサにより通電又は遮断する光センサスイッチ部とを設けてなり、この光センサスイッチ部はランプ取付部に対して光センサの受光面の向きを変更自在にした自動点滅照明装置である。
【０００９】
本発明の自動点滅照明装置は、給電口とランプとの間に介装するアダプタの構成として、外界の照度に応じて点灯又は消灯させたいランプに対する光センサの電気的接続を容易にしている。ここで、本発明に用いることのできる光センサは、光を受けると抵抗値を減らし、光がなくなると抵抗値を増やす抵抗特性を有するものであれば特に限定はなく、ＣｄＳセル等、従来公知の各種光センサを用いることができる。
【００１０】
本発明の特徴は、外界の照度に応じて抵抗値を変化させる光センサにより通電又は遮断する光センサスイッチ部において、光センサの受光面の向きを変更自在にした点にある。これにより、受光面の向きによって受光できる光量を加減して、受光面の向きによって光センサの感度を調整できる。また、受光面の向きを変更自在にしているので、自動点滅照明装置のランプのみならず、周囲に存在する別の照明装置の光の影響を避ける向きに受光面を向けることができる。ここで受光面とは、光センサが外界の光を直接受ける部分を意味し、光センサが直接光を受ける場合は、光センサ自体の外界に接する面が受光面、光を導く媒介部材（例えば光ファイバー等）を設けた場合、この光ファイバーの端面が受光面となる。
【００１１】
光センサスイッチ部における光センサの受光面の向きを変更自在にする手段としては、例えば光ファイバーを挿通したフレキシブルな支持アーム端に受光面を覗かせる構造が考えられる。この場合、まさに受光面は自由自在に向きを変えられることになるが、実際にはそれほどの自由度は必要なく、およそ特定面内を３６０度自由に向きを変えられるだけで実用的である。すなわち、光センサスイッチ部は、ランプ取付部に対して光センサの受光面の向きを水平面内で旋回自在にする、又はランプ取付部に対して光センサの受光面の向きを垂直面内で旋回自在にするとよい。また、両旋回を組み合わせれば、実質的にフレキシブルな支持アームを用いた場合と同じく受光面の向きを自由自在にすることができる。
【００１２】
本発明の自動点滅照明装置は、家屋に設けられた給電口へ、家屋照明装置に代えて直接取り付ける構成のほか、家屋照明装置が有する蛍光灯、白熱球又はナツメ球等の給電口に対して追加的に取り付ける構成でもよい。この場合、取付基礎となる家屋照明装置からの光センサに対する影響を避け、また光センサが外界の光を確実に受光できるように、光センサスイッチ部は、給電口を備えた照明装置の最下面から下方に突出した位置に光センサの受光面を覗かせるとよい。例えば、シェード内に円環状蛍光灯を備えた家屋照明装置が有するナツメ球用の給電口に取り付ける構成の場合、円環状蛍光灯又はシェードから光センサスイッチ部の光センサの受光面が突出するように、前記給電口から受光面の長さを決定するランプ取付部の長さを６０〜１５０ｍｍ、好ましくは７０〜１２０ｍｍにする。
【００１３】
ランプ取付部は、給電口からランプへの電気的接続を担う通電回路を内蔵し、口金部及び光センサスイッチ部を設ける構造的基礎を担えば、具体的な形状は自由にしてよい。例えば、天井部及び底部を架設部で結び、前記天井部及び底部間から外界に向けて光が放射できるランプ取付空間を形成した柱状体であり、天井部上面から上方に向けて口金部を突設し、底部下面に光センサスイッチ部を突設し、天井部下面又は底部上面にランプソケットを設けたランプ取付部を構成できる。
【００１４】
上記ランプ取付部は、傘を有するランタン様の外観を構成する。更に、ランプソケットを底部上面に設けると、よりランタン様の外観に似てきて、審美性を高める利点がある。ここで、ランプソケットを底部上面に設けることは、本発明の自動点滅照明装置のランプが上向きになることを意味する。これにより、前記ランプによる光が家屋の天井又は基礎となる家屋照明装置に反射して、間接照明を実現する。また、光センサスイッチ部に対して言えば、ランプが上方に向けて光を照射するため、底部下面に突設した光センサスイッチ部の光センサがランプの光の影響を受けにくくなる利点がある。
【００１５】
こうしたランタン様の外観を備えるランプ取付部は、天井部及び底部に挟まれたランプ取付空間内にランプを内蔵することになるので、ランプ取付空間は側面又は架設部に透光性を必要とする。この場合、ランプ取付空間の側面又は架設部は、透光性の材料、例えば透明又は半透明なガラス面又は樹脂面にすることが考えられるが、略密閉空間となるランプ取付空間は蓄熱性を有するほか、ランプの交換が煩わしくなる。そこで、上記ランプ取付部は、架設部を柱とし、この柱を除く柱状体の側面を開放することにより、天井部及び底部間から外界に向けて光が放射できるランプ取付空間を形成するとよい
【００１６】
更に、ランプ取付空間の蓄熱性を避け、より積極的に放熱を図るには、ランプ取付部は、天井部に放熱用の貫通孔を設けるとよい。ランプより発せられる熱は、貫通孔を通じた対流によって天井部から上に放出され、ランプを自然空冷する。また、貫通孔はランプ取付空間から上方に向けて光が透過する領域を構成するので、ランプの光がより十分に上方に向けて放射され、間接照明の場合の光量の確保に役立つほか、わずかではあるが軽量化を助ける働きを有する。
【００１７】
【発明の実施の形態】
以下、本発明の実施形態について図を参照しながら説明する。図１は本発明を適用した自動点滅照明装置１の斜視図、図２は同自動点滅照明装置１の回路図、図３は円環状蛍光灯２を備えた家屋照明装置３に本例の自動点滅照明装置１を取り付けた状態を表した断面図、図４〜図６はそれぞれ受光面４の向きを変えた同自動点滅照明装置１の部分破断側面図（図４）又は側面図（図５及び図６）である。本例は、円環状蛍光灯２を備えた家屋照明装置３のナツメ球用給電口４に取り付けるアダプタ構造の自動点滅照明装置１で、ナツメ球５を日出及び日没に合わせて消灯及び点灯させる。
【００１８】
本例の自動点滅照明装置１は、図１に見られるように、天井部６及び底部７を架設部となる２本の柱８，８で結んだランタン様外観を備えたランプ取付部９を本体とする。各部の素材は従来公知の金属又は樹脂から自由に選択できるが、本例では天井部６及び柱８は金属製、底部７及び後述する旋回突部１７のケーシングは樹脂製である。前記天井部６及び底部７間がランプ取付空間１０であり、底部７上面に上向きでナツメ球（ランプ）５を取り付けることのできるランプソケット１１を設けている。これにより、ランプソケット１１に取り付けたナツメ球５は、家屋照明装置３の上面又はシェード１２に光を反射させる間接照明により室内を照らすことになる。
【００１９】
天井部６は、家屋照明装置３のナツメ球用給電口４に対して着脱自在となる口金部１３を上面から上方に向けて突設し、この口金部１３を中心に放熱用の貫通孔１４を円周上に８個設けている。貫通孔１４は、自動点滅照明装置１の軽量化にも貢献する。口金部１３からの電気配線は、貫通孔１４を避けて柱８を通じて底部７へ延設している。
【００２０】
底部７は、図４に見られるように、自動点滅照明装置１の光センサスイッチ部１５を構成する大部分の電気回路を内蔵し、光センサスイッチ部１５の光センサ（ＣｄＳセル）１６を内蔵した旋回突部１７を底部７下面に着脱自在に装着し、前記光センサ１６の受光面１８を水平旋回自在にしている。旋回突部１７は、図１又は図４に見られるように、底部７下面に開口したプラグ孔１９に嵌着する電極プラグ２０を上部に突設した構成で、前記電極プラグ２０はプラグ孔１９内の各電極端子２１，２１と摺接しているだけなので、順方向又は逆方向へ無限定に旋回自在になっている。この旋回突部１７を取り外すと、電気回路における光センサ部分が遮断状態となり、ナツメ球５は点灯しなくなる。すなわち、旋回突部１７の着脱は自動点滅照明装置１全体のスイッチの働きを有する。
【００２１】
本例の自動点滅照明装置１の回路構成は、図２に見られる電気回路を一例として示すことができる。口金部１３が接続する外部電源（ＡＣ１００Ｖ）と、ランプソケット１１に取り付けたナツメ球５とを結ぶ電気配線の一方に、光センサスイッチ部１５の電気回路を構成している。光センサ１６は、外界が明るくなる（照度が上がる）と抵抗値を下げ、サイリスタＳＲのゲートを閉じることで電気回路全体を遮断して、ナツメ球５を消灯させる。逆に、外界が暗くなる（照度が下がる）と光センサ１６は抵抗値を上げ、サイリスタＳＲのゲートを開いて電気回路全体を導通させ、ナツメ球５を点灯させる。同様な点滅回路はほかにも構成でき、本発明ではそれら等価な点滅回路を自由に選択して、利用できる。
【００２２】
ランプ取付部９の全長Ｌは、図３に見られるように、自動点滅照明装置１を家屋照明装置３に取り付けた際、光センサの受光面１８が家屋照明装置３の最下面、本例ではシェード１２から突出するように設定する。これにより、屋外に比べて高い照度の得にくい屋内で、光センサが日出又は日没による照度変化を捉えやすくなる。そして、十分な照度変化を捉えることができるため、本発明が特徴とする受光面１８の向きを変更（本例では水平旋回）することによるナツメ球５の点灯又は消灯時間の設定も可能となる。
【００２３】
具体的には、自動点滅照明装置１を家屋照明装置３のナツメ球用給電口４に取り付けた状態で、前記給電口４から旋回突部１７の受光面１８までの長さＬが６０〜１５０ｍｍ、好ましくは７０〜１２０ｍｍになればよい。前記長さＬは、柱の長さによって決定されるため、天井部及び底部を共通部品とし、異なる長さの柱を複数用意することで、家屋照明装置毎に応じた長さＬを実現できる。また、柱自体を伸縮自在にすると、家屋照明装置に応じて適切な長さＬを取付に際して調節できる自動点滅照明装置とすることができる。
【００２４】
本例の自動点滅照明装置１は、図３に見られるように、家屋照明装置３のナツメ球用給電口４に取り付けた後、旋回突部１７を水平旋回させることで、光センサの受光面１８の向きを変更し、ナツメ球５の点灯又は消灯時間を調節する。例えば、図４に見られるように、受光面１８を陽光が差し込んでくる方向（光軸方向）に向けた場合におけるナツメ球５の消灯又は点灯時間を基準にすると、受光面１８を９０度側方に向けた場合（図５参照）、受光面を１８０度反転させた場合（図６参照）につれて、ナツメ球５の消灯時間は遅くなり、またナツメ球５の点灯時間は早くなる。
【００２５】
受光面１８の向きによるナツメ球５の消灯又は点灯時間のずれは、受光面１８の向きと必ずしも直線的な比例関係にない。これは、光センサの特性が２次関数的な受光感度を有することと、旋回した受光面１８には光軸方向に対する余弦成分の光量が入射することに起因する。具体的な受光面１８の向きとナツメ球５の消灯又は点灯時間との関係は、光センサの閾値のほか、自動点滅照明装置１の窓等光源に対する位置関係、自動点滅照明装置１の設置場所がどのように陽光を受けるか等の周辺環境によって変化するが、およそ余弦関係に似た関係となる。
【００２６】
【実施例】
本発明の自動点滅照明装置の有効性と、受光面の向きによるナツメ球の消灯又は点灯時間の関係を調べるため、試験した。供試体となる自動点滅照明装置は、ナツメ球を取り付けた上記図１相当の構造で、内部の電気回路は図２に見られる構成で、整流素子としてダイオードＤ、スイッチング素子としてサイリスタＳＲを用い、Ｒ１＝８２０ｋΩ、Ｒ２＝６０ｋΩとして、光センサ１６の閾値を５ｌｘに設定している。この自動点滅照明装置は、図７に見られる縦３．６ｍ×横２．５ｍの間取りで一面に採光窓（０．９ｍ間口）を設けた室内中央に吊り下げている。受光面の高さは、床面より１．８ｍの高さであった。
【００２７】
試験は、５月中旬、天候曇り時々晴の条件下で実施した。まず、ナツメ球の消灯時刻を調べるため、まだ外が暗い時刻（ＡＭ０５：００）から、受光面が窓を向いた角度（光軸方向角度＝０度、これを基準角度とする、図４参照）から４５度ずつ水平旋回させた角度、すなわち４５度、９０度（図５参照）、１３５度及び１８０度（図６参照）に変えて、それぞれの角度でどの時刻にナツメ球が消灯するかを調べた。結果を図８に示す。
【００２８】
図８に示す試験結果から、当然窓に向いた側、すなわち基準角度（０度）での照度変化が大きく、光軸方向からずれるほどに照度変化が乏しく、またあまり照度が上がらないことが分かる。基準角度では、試験開始１０分後（ＡＭ０５：１０）に照度が光センサの閾値を超え、ナツメ球の消灯が確認された。これに対し、反転角度（１８０度）では、およそ１時間１０分後（ＡＭ０６：１０）にナツメ球が消灯し、基準角度に対して約１時間の消灯時間が遅れている。
【００２９】
上記試験結果に基づき、受光面の旋回角度を横軸に取り、基準角度に対して消灯時間がどれほど遅くなるかを表したグラフを、図９に示す。図９のグラフ中縦軸は、基準角度（０度）から遅れた時間を＋表記で表しており、例えば反転角度（１８０度）では＋１：１０、すなわち基準角度に比べて消灯時間が１時間１０分遅れていることを表している。図９から明らかなように、受光面の旋回角度とナツメ球の消灯時間とは直線的な比例関係にあるのではなく、２次関数的な関係、より具体的には余弦関係に似た関係にあると思われる。
【００３０】
同様の試験条件で、今度はナツメ球の点灯時間を調べるため、まだ外が十分に明るい時刻（ＰＭ０５：２０）から、受光面が窓を向いた角度（光軸方向角度＝０度、これを基準角度とする）から４５度ずつ水平旋回させた角度、すなわち４５度、９０度、１３５度及び１８０度に変えて、それぞれの角度でどの時刻にナツメ球が点灯するかを調べた。結果を図１０に示す。
【００３１】
図１０に示す試験結果でも、窓に向いた側、すなわち基準角度（０度）での照度変化が大きく、光軸方向からずれるほどに照度変化が乏しいことが分かる。上記消灯時間の試験と異なり、今度は反転角度（１８０度）において、試験開始１０分後（ＰＭ０５：３０）に照度が光センサの閾値を下回り、ナツメ球が点灯した。これに対し、基準角度（０度）では、なかなか照度が下がらないため、およそ１時間３０分後（ＰＭ０６：５０）になってようやくナツメ球が点灯した。
【００３２】
また、上記試験結果に基づき、受光面の旋回角度を横軸に取り、基準角度に対して点灯時間がどれほど早くなるかを表したグラフを、図１１に示す。図１１のグラフ中縦軸は、基準角度（０度）に比べて早くなった時間を−表記で表しており、例えば反転角度（１８０度）では−１：５０、すなわち基準角度に比べて点灯時間が１時間５０分進んでいることを表している。図１１から明らかなように、受光面の旋回角度とナツメ球の点灯時間とは、およそ余弦関係に似た関係にあると思われる。
【００３３】
以上の試験から、光センサの感度調整を施すことなく、受光面の向きを変えるだけで、ナツメ球の消灯時間及び点灯時間が調節できることが分かる。受光面の向きによる消灯時間の時差と点灯時間の時差とが異なるのは、周辺環境、特に夏至に近い日時での事件であったことが原因と思われる。また、上述のように、受光面の角度と消灯時間又は点灯時間との関係は余弦関係に似た関係にあるが、実際には、人間の明るさに対する感覚は指数関数的なものであるため、受光面の角度と消灯時間との関係とが必ずしも直線的な比例関係になくても構わないと思われる。むしろ、受光面の向きを変えるだけで、容易にナツメ球の消灯時間及び点灯時間の調節ができる点は、本発明の自動点滅照明装置にとって大きな効果であると結論付けることができる。
【００３４】
【発明の効果】
本発明により、光センサの閾値を低く設定しながら、ランプの点灯による誤動作を防止できる自動点滅照明装置を提供できるようになる。これは、特に一般家屋の各部屋に設置する家屋照明装置が備えるナツメ球を、日出又は日没に合わせて自動的に消灯又は点灯するための自動点滅照明装置の提供を可能にする。もちろん、本発明の自動点滅照明装置は、こうした家屋照明装置に取り付けるだけでなく、自動点滅する家屋照明装置としても利用することができる。この場合でも、光センサの受光面の向きを変更自在にしたことによる消灯時間又は点灯時間の容易な調節の効果がある。
【００３５】
光センサの受光面の向きが変更自在であることは、上述のランプの消灯時間又は点灯時間の調節のほか、本発明の自動点滅照明装置の設置位置や設置態様に合わせて、利用者自身が改めて受光面の向きを変更できることを意味する。すなわち、家屋照明装置に本発明の自動点滅照明装置を取り付ける場合でも、家屋照明装置に対する自動点滅照明装置の向きとは無関係に、家屋照明装置を設けている部屋の採光に合わせて光センサの受光面の向きを変更できるため、自動点滅照明装置の設置向きを気にしなくてよい。このように、本発明は、ランプの消灯時間又は点灯時間の容易な調節だけでなく、自動点滅照明装置の設置の自由度が高くなる効果がある。
【図面の簡単な説明】
【図１】本発明を適用した自動点滅照明装置の斜視図である。
【図２】同自動点滅照明装置の回路図である。
【図３】円環状蛍光灯を備えた家屋照明装置に本例の自動点滅照明装置を取り付けた状態を表した断面図である。
【図４】受光面を基準角度に向けた状態の同自動点滅照明装置の部分破断側面図である。
【図５】受光面を側方に向けた状態の同自動点滅照明装置の側面図である。
【図６】受光面を反転角度に向けた同自動点滅照明装置の拡大側面図である。
【図７】試験に用いた部屋の見取り図である。
【図８】消灯時間の測定結果を表したグラフである。
【図９】基準角度に対する消灯時間の時差（遅れ）を表したグラフである。
【図１０】点灯時間の測定結果を表したグラフである。
【図１１】基準角度に対する点灯時間の時差（進み）を表したグラフである。
【符号の説明】
１  自動点滅照明装置
４  ナツメ球用給電口
５  ナツメ球
６  天井部
７  底部
８  架設部となる柱
９  ランプ取付部
１０  ランプ取付空間
１１  ランプソケット
１３  口金部
１４  貫通孔
１５  光センサスイッチ部
１６  光センサ
１７  旋回突部
１８  受光面
【図１】
2005011607.tif 000003
【図２】
2005011607.tif 000004
【図３】
2005011607.tif 000005
【図４】
2005011607.tif 000006
【図５】
2005011607.tif 000007
【図６】
2005011607.tif 000008
【図７】
2005011607.tif 000009
【図８】
2005011607.tif 000010
【図９】
2005011607.tif 000011
【図１０】
2005011607.tif 000012
【図１１】
2005011607.tif 000013